(57)【特許請求の範囲】
【請求項１】
少なくともスイッチ類，銘板及び発音体が配設されたパネルを備え、該スイッチ類を操作することにより、工作機械各部の動作を操作することができるようになった工作機械用の操作盤において、
前記パネルの操作側表面に凹部を形成し、前記発音体の発音部が該凹部内に位置するように前記発音体を前記パネルに配設し、前記凹部を覆うように前記銘板を前記パネルに配設するとともに、前記銘板の前記凹部に対応した位置に、表裏に貫通する貫通孔を設けて構成し、前記発音体から発せられる音が前記貫通孔を通って外部に漏れ出るように構成したことを特徴とする工作機械用操作盤。
【請求項２】
前記発音体が音量調節部を備え、前記銘板の貫通孔が前記音量調節部と対応した位置に設けられた請求項１記載の工作機械用操作盤。
【発明の詳細な説明】
【０００１】
【発明の属する技術分野】
本発明は、少なくともスイッチ類，銘板及び発音体が配設されたパネルを備え、該スイッチ類を操作することにより、工作機械各部の作動を操作することができるようになった工作機械用の操作盤に関する。
【０００２】
【従来の技術】
上述した工作機械用の操作盤の一例を図３及び図４に示す。尚、図３は、ＮＣ工作機械に用いられる操作盤を示した正面図であり、図４はこの操作盤の一部を構成するインタロック操作ユニットを拡大して示す正面図である。
【０００３】
図３に示すように、前記操作盤１０１は、表示ユニット１０３、キー入力ユニット１０６、第１手動操作ユニット１１２及び第２手動操作ユニット１１６、電源操作ユニット１０９、オプションユニット１１９、インタロック操作ユニット１２５、並びにこれらを収容する筐体１０２からなる。
【０００４】
そして、前記表示ユニット１０３は工具刃先の現在位置，加工プログラムなどの情報を表示するＣＲＴディスプレイ１０５と、このＣＲＴディスプレイ１０５が設けられたパネル１０４とを備え、キー入力ユニット１０６は適宜配列された入力キー１０８群と、この入力キー１０８群が配設されたパネル１０７とを備え、第１手動操作ユニット１１２は押釦スイッチ１１４，パルスハンドル１１５等と、これらが配設されたパネル１１３とを備え、第２手動操作ユニット１１６は押釦スイッチ１１８等と、これらが配設されたパネル１１７とを備えている。また、電源操作ユニット１０９は電源を入切するための押釦スイッチ１１１と、これが配設されたパネル１１０とを備え、オプションユニット１１９は押釦スイッチ１２１と、これが配設されたパネル１２０とを備えている。
【０００５】
また、図４に示すように、インタロック操作ユニット１２５は、インタロックの有効無効を切り換えて入力する鍵付きスイッチ１２９と、この鍵付きスイッチ１２９の切り換え方向等を表示した表示銘板１３０と、前記鍵付きスイッチ１２９がインタロックを無効（解除）にする方向に切り換えられた際に点灯表示する表示ランプ１３１と、同じく前記鍵付きスイッチ１２９がインタロックを解除する方向に切り換えられた際に警告音を出力するブザー１２７と、インタロックを解除した際の注意点を表示した表示銘板１３２と、これらが配設されたパネル１２６とを備えている。そして、鍵付きスイッチ１２９及びブザー１２７は前記パネル１２６の表面に露出するように設けられ、前記表示銘板１３０，１３２は前記パネル１２６表面の空きスペースに貼着されている。
【０００６】
而して、以上の構成を備えたＮＣ工作機械用の操作盤１０１によれば、前記入力キー１０８を操作することにより数値制御装置（図示せず）にデータを入力することができ、前記押釦スイッチ１１４，１１８，１２１、パルスハンドル１１５などを操作することにより、数値制御装置（図示せず）を介して工作機械の各駆動部の作動を制御することができるようになっている。
【０００７】
また、前記鍵付きスイッチ１２９を操作することによりインタロックの有効無効を切り換えて数値制御装置（図示せず）に入力することができ、インタロックを解除した際には表示ランプ１３１が点灯されるとともに、ブザー１２７から警告音が出力される。尚、ブザー１２７には出力調整用のボリューム１２８が設けられており、このボリューム１２８を調整することにより、警告音の強弱を調整することができるようになっている。
【０００８】
【発明が解決しようとする課題】
ところで、最近では操作性の面から、操作盤全体の高さ寸法などを極力短くしてコンパクトにしたものが求められている。
【０００９】
しかるに、上記操作盤１０１はオペレータが外部からこれを操作するものであるため、上記入力キー１０８、押釦スイッチ１１４，１１８，１２１、パルスハンドル１１５などがそれぞれパネル１０４，１０７，１１３，１１７等の表面に露出している必要があり、操作性（便利性）による制約もあることから、これらの配置を適宜工夫したとしても、容易には上記操作盤１０１をコンパクトにすることができなかった。
【００１０】
本発明者らは、上記要請に応えるべく鋭意工夫を重ねることにより本発明を完成させるに至ったものであり、本発明は高さ寸法を極力短くすることができる工作機械用操作盤の提供を目的とする。
【００１１】
【課題を解決するための手段及びその効果】
上記目的を達成するための本発明の請求項１に係る発明は、少なくともスイッチ類，銘板及び発音体が配設されたパネルを備え、該スイッチ類を操作することにより、工作機械各部の動作を操作することができるようになった工作機械用の操作盤において、
前記パネルの操作側表面に凹部を形成し、前記発音体の発音部が該凹部内に位置するように前記発音体を前記パネルに配設し、前記凹部を覆うように前記銘板を前記パネルに配設するとともに、前記銘板の前記凹部に対応した位置に、表裏に貫通する貫通孔を設けて構成し、前記発音体から発せられる音が前記貫通孔を通って外部に漏れ出るように構成したことを特徴とするものである。
【００１２】
この発明によれば、前記発音体の発音部が前記パネルの操作側表面に設けた凹部内に位置するように構成するとともに、前記銘板が前記凹部を覆うように構成し、操作盤の表裏方向において前記発音体と銘板とが重なり合うように、これらを立体的に配設しているので、発音体と銘板とをパネル表面に並べて配設した如上の従来の操作盤に比べて、各部材を配設するために必要なパネル表面の面積を極力小さいものとすることができる。また、立体的に配設しているといっても、筐体内部に発音体を配設しているのではなく、筐体表面に凹部を設けて、その凹部に発音体を配設するようにしたので、密閉度も維持することができるようになっている。したがって、パネルに設けられるスイッチ類など他の部材の配列位置を適宜調整することにより、操作盤全体の高さ寸法を短くすることができ、当該操作盤をコンパクトで操作性の良いものとすることができるとともに、防塵，防水性についてもこれを良好に維持することができる。
【００１３】
また、前記発音体は、オペレータが外部からこれを操作するものではないため、必ずしも当該発音体が前記パネル表面に現れている必要はないが、当該発音体から発せられる音は確実にオペレータに伝達される必要がある。この発明によれば、前記銘板の前記凹部に対応した位置に表裏に貫通する貫通孔を設け、前記発音体から発せられる音が前記貫通孔を通って外部に漏れ出るようにしているので、前記発音体から発せられる音を確実にオペレータに伝達することができる。
【００１４】
また、本発明の請求項２に係る発明は、上記請求項１の発明における前記発音体が音量調節部を備え、前記銘板の貫通孔が前記音量調節部と対応した位置に設けられてなるものである。この発明によれば、前記貫通孔を介して前記発音体の音量調節部を調節することができ、請求項１の発明のように前記発音体を銘板により覆った場合にも、その音量を容易に調節することができる。
【００１５】
【発明の実施の形態】
以下、本発明の具体的な実施形態について添付図面に基づき説明する。尚、図１は、本実施形態に係るＮＣ工作機械用の操作盤を示す正面図であり、図２は、この操作盤の一部を構成するインタロック操作ユニットを示す斜視図である。
【００１６】
図１に示すように、本実施形態に係る操作盤１は、上述した従来例の操作盤１０１とはそのインタロック操作ユニット５及び電源操作ユニット１０９の構成が異なるものであり、他の構成は従来の操作盤１０１のそれと同じである。したがって、従来の操作盤１０１と同じ構成部分については、図１において同一の符号を付し、その詳しい説明を省略する。尚、キー入力ユニット１０６の入力キー１０８の配列、及びオプションユニット１１９の配設位置についても従来例の操作盤１０１と異なるが、これらについては同一の符号を用いている。
【００１７】
図２に示すように、本実施形態に係るインタロック操作ユニット５は、電源を入切するための押釦スイッチ８と、インタロックの有効無効を切り換えて入力する鍵付きスイッチ９と、この鍵付きスイッチ９がインタロックを無効（解除）にする方向に切り換えられた際に点灯表示する表示ランプ１０と、同じく前記鍵付きスイッチ９がインタロックを解除する方向に切り換えられた際に警告音を出力するブザー１１と、前記鍵付きスイッチ１１の切り換え方向及びインタロックを解除した際の注意点を表示した表示銘板１７と、この表示銘板１７の表面をカバーする透明なカバー板１５と、これらが配設されたパネル６とを備えている。尚、図中、１９はプリント基板などを装着するための取付ボードである。
【００１８】
前記パネル６はその操作側の表面に凸部７を備えており、この凸部７の左側寄り且つ上側寄りに矩形の第１凹部１３が形成されている。この第１凹部１３は凸部７の上側の側面に開口しており、この開口部付近の第１凹部１３の両縁部に内側に突出した係止部１４が設けられている。
【００１９】
また、前記第１凹部１３の底面の右下角部分には同じく矩形の第２凹部１２が形成されており、前記ブザー１１の発音部１１ａがこの第２凹部１２内に位置するように設けられている。そして、前記表示銘板１７及びカバー体１５が相互に重ね合わされた状態で、前記開口部から前記第１凹部１３内に挿入され、これら表示銘板１７及びカバー体１５によって前記第２凹部１２が覆われるようになっている。尚、前記カバー体１５の両側縁部１５ａ，１５ａには面取りが施されており、カバー体１５が前記第１凹部１３内に挿入された際に、この面取り部が前記係止部１４と係合して、カバー体１５が第１凹部１３から表面側に抜け出るのを防止することができるようになっている。
【００２０】
また、前記ブザー１１のボリューム１２に対応した位置の前記表示銘板１７及びカバー体１５にはそれぞれ表裏に貫通した貫通孔１６，１８が設けられており、この貫通孔１６，１８を介して前記第２凹部１２内と外部とが連通するようになっている。
【００２１】
而して、この操作盤１によれば、前記ブザー１１の発音部１１ａが前記第２凹部１２内に位置するようにこれを設けるとともに、前記表示銘板１７及びカバー体１５が前記第２凹部１２を覆うように構成し、操作盤１の表裏方向において前記ブザー１１と表示銘板１７及びカバー体１５とが重なり合うように、これらを立体的に配設しているので、ブザー１２７と表示銘板１３０，１３２とをパネル１２６の表面に並べて配設した従来の操作盤１０１に比べて、各部材を配設するために必要なパネル表面の面積を極力小さいものとすることができる。
【００２２】
したがって、パネルに設けられるスイッチ類など他の部材の配列位置を適宜調整することにより、操作盤１全体の高さ寸法を短くすることができ、当該操作盤１をコンパクトで操作性の良いものとすることができる。具体的には、本例ではブザー１１と表示銘板１７とを立体的に配設することによりパネル６表面に空スペースを設け、この空スペースに電源を入切するための押釦スイッチ８を配設した。そして、これにより従来の電源ユニット１０９を廃止して、キー入力ユニット１０６の左方に空スペースを形成することができ、この空スペースを利用してキー入力ユニット１０６の入力キー１０８の配列を従来に比べ横長にし、その高さ寸法を短くすることで操作盤１の全体高さ寸法を短くすることができた。
【００２３】
また、前記表示銘板１７及びカバー体１５の、前記ブザー１１のボリューム１２に対応した位置にそれぞれ貫通孔１６，１８が設けられており、前記ブザー１１の発音部１１ａから出力された警告音がこの貫通孔１６，１８を通って外部に漏出されるので、当該警告音を確実に外部のオペレータに伝達することができる。また、ブザー１１の音量を調整する際には、この貫通孔１６，１８を介して、例えば、ドライバを用いて前記ボリューム１２を容易に調節することができる。
【００２４】
また、前記表示銘板１７をパネル６とカバー体１５との間に挿入するように設けたので、パネル６の表面に貼着する場合に比べてその装着が容易であり、更に、例えば、表示言語の異なる表示銘板１７に変更する際には容易にこれに対応することができる。尚、インタロック操作ユニット５を筐体１０２に装着すると、カバー体１５の上方に筐体１０２の枠が位置し、この枠によって当該カバー体１５が上方に抜けるのが防止されるようになっている。
【図面の簡単な説明】
【図１】本発明の一実施形態に係る工作機械用の操作盤を示した正面図である。
【図２】実施形態に係る操作盤の一部を構成するインタロック操作ユニットを示した斜視図である。
【図３】ＮＣ工作機械に用いられる従来の操作盤を示した正面図である。
【図４】従来の操作盤の一部を構成するインタロック操作ユニットを拡大して示す正面図である。
【符号の説明】
１    操作盤
５    インタロック操作ユニット
６    パネル
７    凸部
８    押釦スイッチ
９    鍵付きスイッチ
１０  表示ランプ
１１  ブザー
１２  第２凹部
１３  第１凹部
１５  カバー体
１７  表示銘板
【図１】
0003957878.tif 000002
【図２】
0003957878.tif 000003
【図３】
0003957878.tif 000004
【図４】
0003957878.tif 000005